(57)【要約】【課題】簡便に回路構成を変更させること。【解決手段】配線経路に対応させた電気部品ＥＰの電気接続対象たる配線接続体１２を有する第１バスバ１０と、配線経路に対応させた電気部品の電気接続対象たる配線接続体２２を有する第２バスバ２０と、第１バスバが収容される第１電気配線ブロック３０と、第２バスバが収容される第２電気配線ブロック４０と、第１バスバと第２バスバを電気接続させる際に用いる回路接続構造５０と、を備え、回路接続構造は、第１バスバと第２バスバを電気接続させる接続具６１と、第１バスバが有し、接続具を接続させることが可能な第１被接続体５１と、接続具が有し、第１被接続体に対して接続させることが可能な第１接続体５２と、第２バスバが有し、接続具を接続させることが可能な第２被接続体５３と、接続具が有し、第２被接続体に対して接続させることが可能な第２接続体５４と、を備えること。【選択図】図１
2020124074.tif 000002
【特許請求の範囲】
【請求項１】
配線経路に対応させた電気部品の電気接続対象たる配線接続体を有する導電性の第１バスバと、
配線経路に対応させた電気部品の電気接続対象たる配線接続体を有する導電性の第２バスバと、
前記第１バスバが収容される絶縁性の第１電気配線ブロックと、
前記第２バスバが収容される絶縁性の第２電気配線ブロックと、
前記第１バスバと前記第２バスバを電気接続させる際に用いる回路接続構造と、
を備え、
前記回路接続構造は、前記第１バスバと前記第２バスバを電気接続させる接続具と、前記第１バスバが有し、前記接続具を物理的且つ電気的に接続させることが可能な第１被接続体と、前記接続具が有し、前記第１被接続体に対して物理的且つ電気的に接続させることが可能な第１接続体と、前記第２バスバが有し、前記接続具を物理的且つ電気的に接続させることが可能な第２被接続体と、前記接続具が有し、前記第２被接続体に対して物理的且つ電気的に接続させることが可能な第２接続体と、を備えることを特徴とした電気接続構造体。
【請求項２】
前記回路接続構造は、前記第１被接続体及び前記第１接続体が収容されると共に物理的且つ電気的に接続される第１連結室と、前記第２被接続体及び前記第２接続体が収容されると共に物理的且つ電気的に接続される第２連結室と、を備えることを特徴とした請求項１に記載の電気接続構造体。
【請求項３】
前記第１バスバは、自らの前記配線接続体と同形状の前記第１被接続体を有し、
前記第２バスバは、自らの前記配線接続体と同形状の前記第２被接続体を有し、
前記第１電気配線ブロックは、前記第１バスバの前記配線接続体が収容される電気接続室と、自らの前記電気接続室と同形状の前記第１連結室と、を有し、
前記第２電気配線ブロックは、前記第２バスバの前記配線接続体が収容される電気接続室と、自らの前記電気接続室と同形状の前記第２連結室と、を有することを特徴とした請求項２に記載の電気接続構造体。
【請求項４】
前記接続具は、バスバであることを特徴とした請求項１，２又は３に記載の電気接続構造体。
【請求項５】
前記接続具は、電線と、前記電線の一方の端末に対して物理的且つ電気的に接続された前記第１接続体と、前記電線の他方の端末に対して物理的且つ電気的に接続された前記第２接続体と、を備えることを特徴とした請求項１，２又は３に記載の電気接続構造体。
【請求項６】
前記接続具は、前記第１接続体と前記第２接続体との間に放熱部を備えることを特徴とした請求項１から５の内の何れか１つに記載の電気接続構造体。
【請求項７】
配線経路に対応させた電気部品の電気接続対象たる配線接続体を有する導電性の第１バスバと、
配線経路に対応させた電気部品の電気接続対象たる配線接続体を有する導電性の第２バスバと、
前記第１バスバが収容される絶縁性の第１電気配線ブロックと、
前記第２バスバが収容される絶縁性の第２電気配線ブロックと、
前記第１電気配線ブロックと前記第２電気配線ブロックが収容される絶縁性の筐体と、
前記第１バスバと前記第２バスバを電気接続させる際に用いる回路接続構造と、
を備え、
前記回路接続構造は、前記第１バスバと前記第２バスバを電気接続させる接続具と、前記第１バスバが有し、前記接続具を物理的且つ電気的に接続させることが可能な第１被接続体と、前記第２バスバが有し、前記接続具を物理的且つ電気的に接続させることが可能な第２被接続体と、前記接続具が有し、前記第１被接続体に対して物理的且つ電気的に接続させることが可能な第１接続体と、前記接続具が有し、前記第２被接続体に対して物理的且つ電気的に接続させることが可能な第２接続体と、を備えることを特徴とした電気接続箱。
【請求項８】
配線経路に対応させた電気部品の電気接続対象たる配線接続体を有する導電性の第１バスバと、
配線経路に対応させた電気部品の電気接続対象たる配線接続体を有する導電性の第２バスバと、
前記第１バスバに対して電気接続される第１電線と、
前記第１バスバを電気接続対象とする前記電気部品に対して電気接続される第２電線と、
前記第２バスバに対して電気接続される第３電線と、
前記第２バスバを電気接続対象とする前記電気部品に対して電気接続される第４電線と、
前記第１バスバが収容される絶縁性の第１電気配線ブロックと、
前記第２バスバが収容される絶縁性の第２電気配線ブロックと、
前記第１バスバと前記第２バスバを電気接続させる際に用いる回路接続構造と、
を備え、
前記回路接続構造は、前記第１バスバと前記第２バスバを電気接続させる接続具と、前記第１バスバが有し、前記接続具を物理的且つ電気的に接続させることが可能な第１被接続体と、前記第２バスバが有し、前記接続具を物理的且つ電気的に接続させることが可能な第２被接続体と、前記接続具が有し、前記第１被接続体に対して物理的且つ電気的に接続させることが可能な第１接続体と、前記接続具が有し、前記第２被接続体に対して物理的且つ電気的に接続させることが可能な第２接続体と、を備えることを特徴としたワイヤハーネス。
【発明の詳細な説明】
【技術分野】
【０００１】
本発明は、電気接続構造体、電気接続箱及びワイヤハーネスに関する。
【背景技術】
【０００２】
従来、少なくとも二者間の電気接続対象物同士を電気接続させる電気接続構造体や電気接続箱が知られている（下記の特許文献１）。その電気接続構造体や電気接続箱においては、１つ又は複数の配線経路を有する導電性のバスバがバスバ収容室に収容されており、そのバスバを介して電気接続対象物同士を電気接続させる。電気接続構造体や電気接続箱は、それぞれの電気接続対象物に電気接続させる電線を備えることによって、ワイヤハーネスを構成する。
【先行技術文献】
【特許文献】
【０００３】
【特許文献１】特開平９−２５２５１８号公報
【発明の概要】
【発明が解決しようとする課題】
【０００４】
ところで、従来の電気接続構造体や電気接続箱においては、回路を変更する際に、変更後のバスバを新たに作らなければならない。このため、従来の電気接続構造体や電気接続箱は、簡便な回路構成の変更が行えるとは云い難い。
【０００５】
そこで、本発明は、簡便に回路構成を変更させることが可能な電気接続構造体、電気接続箱及びワイヤハーネスを提供することを、その目的とする。
【課題を解決するための手段】
【０００６】
上記目的を達成する為、本発明に係る電気接続構造体は、配線経路に対応させた電気部品の電気接続対象たる配線接続体を有する導電性の第１バスバと、配線経路に対応させた電気部品の電気接続対象たる配線接続体を有する導電性の第２バスバと、前記第１バスバが収容される絶縁性の第１電気配線ブロックと、前記第２バスバが収容される絶縁性の第２電気配線ブロックと、前記第１バスバと前記第２バスバを電気接続させる際に用いる回路接続構造と、を備え、前記回路接続構造は、前記第１バスバと前記第２バスバを電気接続させる接続具と、前記第１バスバが有し、前記接続具を物理的且つ電気的に接続させることが可能な第１被接続体と、前記接続具が有し、前記第１被接続体に対して物理的且つ電気的に接続させることが可能な第１接続体と、前記第２バスバが有し、前記接続具を物理的且つ電気的に接続させることが可能な第２被接続体と、前記接続具が有し、前記第２被接続体に対して物理的且つ電気的に接続させることが可能な第２接続体と、を備えることを特徴としている。
【０００７】
ここで、前記回路接続構造は、前記第１被接続体及び前記第１接続体が収容されると共に物理的且つ電気的に接続される第１連結室と、前記第２被接続体及び前記第２接続体が収容されると共に物理的且つ電気的に接続される第２連結室と、を備えることが望ましい。
【０００８】
また、前記第１バスバは、自らの前記配線接続体と同形状の前記第１被接続体を有し、前記第２バスバは、自らの前記配線接続体と同形状の前記第２被接続体を有し、前記第１電気配線ブロックは、前記第１バスバの前記配線接続体が収容される電気接続室と、自らの前記電気接続室と同形状の前記第１連結室と、を有し、前記第２電気配線ブロックは、前記第２バスバの前記配線接続体が収容される電気接続室と、自らの前記電気接続室と同形状の前記第２連結室と、を有することが望ましい。
【０００９】
また、前記接続具は、バスバであることが望ましい。
【００１０】
また、前記接続具は、電線と、前記電線の一方の端末に対して物理的且つ電気的に接続された前記第１接続体と、前記電線の他方の端末に対して物理的且つ電気的に接続された前記第２接続体と、を備えることが望ましい。
【００１１】
また、前記接続具は、前記第１接続体と前記第２接続体との間に放熱部を備えることが望ましい。
【００１２】
また、上記目的を達成する為、本発明に係る電気接続箱は、配線経路に対応させた電気部品の電気接続対象たる配線接続体を有する導電性の第１バスバと、配線経路に対応させた電気部品の電気接続対象たる配線接続体を有する導電性の第２バスバと、前記第１バスバが収容される絶縁性の第１電気配線ブロックと、前記第２バスバが収容される絶縁性の第２電気配線ブロックと、前記第１電気配線ブロックと前記第２電気配線ブロックが収容される絶縁性の筐体と、前記第１バスバと前記第２バスバを電気接続させる際に用いる回路接続構造と、を備え、前記回路接続構造は、前記第１バスバと前記第２バスバを電気接続させる接続具と、前記第１バスバが有し、前記接続具を物理的且つ電気的に接続させることが可能な第１被接続体と、前記第２バスバが有し、前記接続具を物理的且つ電気的に接続させることが可能な第２被接続体と、前記接続具が有し、前記第１被接続体に対して物理的且つ電気的に接続させることが可能な第１接続体と、前記接続具が有し、前記第２被接続体に対して物理的且つ電気的に接続させることが可能な第２接続体と、を備えることを特徴としている。
【００１３】
また、上記目的を達成する為、本発明に係るワイヤハーネスは、配線経路に対応させた電気部品の電気接続対象たる配線接続体を有する導電性の第１バスバと、配線経路に対応させた電気部品の電気接続対象たる配線接続体を有する導電性の第２バスバと、前記第１バスバに対して電気接続される第１電線と、前記第１バスバを電気接続対象とする前記電気部品に対して電気接続される第２電線と、前記第２バスバに対して電気接続される第３電線と、前記第２バスバを電気接続対象とする前記電気部品に対して電気接続される第４電線と、前記第１バスバが収容される絶縁性の第１電気配線ブロックと、前記第２バスバが収容される絶縁性の第２電気配線ブロックと、前記第１バスバと前記第２バスバを電気接続させる際に用いる回路接続構造と、を備え、前記回路接続構造は、前記第１バスバと前記第２バスバを電気接続させる接続具と、前記第１バスバが有し、前記接続具を物理的且つ電気的に接続させることが可能な第１被接続体と、前記第２バスバが有し、前記接続具を物理的且つ電気的に接続させることが可能な第２被接続体と、前記接続具が有し、前記第１被接続体に対して物理的且つ電気的に接続させることが可能な第１接続体と、前記接続具が有し、前記第２被接続体に対して物理的且つ電気的に接続させることが可能な第２接続体と、を備えることを特徴としている。
【発明の効果】
【００１４】
本発明に係る電気接続構造体は、第１バスバの配線経路と第２バスバの配線経路とで個別に電源側と電気部品とを電気接続させることもできれば、第１バスバと第２バスバとを接続具で電気接続させ、その状態のそれぞれの配線経路で電源側と電気部品とを電気接続させることもできる。つまり、本発明に係る電気接続構造体は、第１バスバと第２バスバを接続具で連結させるだけで、簡便に回路構成を変更することができる。また、本発明に係る電気接続箱及びワイヤハーネスは、その電気接続構造体を包含するものであり、この電気接続構造体によって得られるものと同様の効果を奏することができる。
【図面の簡単な説明】
【００１５】
【図１】図１は、実施形態の電気接続構造体を示す分解斜視図である。
【図２】図２は、実施形態の電気接続構造体を別角度から見た分解斜視図である。
【図３】図３は、実施形態の電気接続構造体、電気接続箱及びワイヤハーネスを示す斜視図である。
【図４】図４は、実施形態の第１バスバを示す斜視図である。
【図５】図５は、第１回路保護部品に対しての電気接続状態を示す斜視図である。
【図６】図６は、第２回路保護部品に対しての電気接続状態を示す斜視図である。
【図７】図７は、第３回路保護部品に対しての電気接続状態を示す斜視図である。
【図８】図８は、実施形態の第２バスバを示す斜視図である。
【図９】図９は、実施形態の第１電気配線ブロックの下面図である。
【図１０】図１０は、第１電気配線ブロックに対する第１バスバの取付状態を示す下面図である。
【図１１】図１１は、実施形態の第２電気配線ブロックの下面図である。
【図１２】図１２は、第２電気配線ブロックに対する第２バスバの取付状態を示す下面図である。
【図１３】図１３は、実施形態の電気接続構造体の変形仕使用形態を示す分解斜視図である。
【図１４】図１４は、実施形態の電気接続構造体の変形仕使用形態を別角度から見た分解斜視図である。
【図１５】図１５は、変形使用形態に適用する実施形態の第２電気配線ブロックの下面図である。
【図１６】図１６は、電気接続構造体の使用例の１つを示す斜視図である。
【図１７】図１７は、電気接続構造体の使用例の１つであり、変形仕使用形態を示す斜視図である。
【図１８】図１８は、変形例の電気接続構造体を示す分解斜視図である。
【図１９】図１９は、変形例の電気接続構造体を別角度から見た分解斜視図である。
【図２０】図２０は、変形例の電気接続構造体を示す斜視図である。
【図２１】図２１は、変形例の電気接続構造体を別角度から見た斜視図である。
【図２２】図２２は、変形例の第１バスバを示す斜視図である。
【図２３】図２３は、変形例の第２バスバを示す斜視図である。
【図２４】図２４は、変形例の第２バスバを別角度から見た斜視図である。
【図２５】図２５は、変形例の第１電気配線ブロックの下面図である。
【図２６】図２６は、第１電気配線ブロックに対する第１バスバの取付状態を示す下面図である。
【図２７】図２７は、変形例の第２電気配線ブロックを第２バスバと共に示す下面図である。
【図２８】図２８は、変形例の接続具を示す斜視図である。
【図２９】図２９は、第１バスバと第２バスバに対する接続具の取付状態を示す斜視図である。
【図３０】図３０は、変形例の放熱部が設けられた接続具を示す斜視図である。
【発明を実施するための形態】
【００１６】
以下に、本発明に係る電気接続構造体、電気接続箱及びワイヤハーネスの実施形態を図面に基づいて詳細に説明する。尚、この実施形態によりこの発明が限定されるものではない。
【００１７】
［実施形態］
本発明に係る電気接続構造体、電気接続箱及びワイヤハーネスの実施形態の１つを図１から図１７に基づいて説明する。
【００１８】
図１から図３の符号１は、本実施形態の電気接続構造体を示す。この電気接続構造体１は、導電性の第１バスバ１０と、導電性の第２バスバ２０と、第１バスバ１０が収容される絶縁性の第１電気配線ブロック３０と、第２バスバ２０が収容される絶縁性の第２電気配線ブロック４０と、を備える（図１及び図２）。
【００１９】
第１バスバ１０と第２バスバ２０は、各々、少なくとも二者間の電気接続対象物同士を電気接続させるための導電部品であり、その二者間を繋ぐ１つ又は複数の配線経路を有している。例えば、この第１バスバ１０と第２バスバ２０は、各々、電源（一方の電気接続対象物）と電気部品ＥＰ（他方の電気接続対象物）とを繋ぐ配線経路を有しており、その配線経路を介して電源と電気部品とを電気接続させる。ここで、電気部品ＥＰとは、例えば、ヒューズ等の回路保護部品（第１から第３の回路保護部品ＥＰ１，ＥＰ２，ＥＰ３）、リレー、端子金具、コネクタなどのことを指している。本実施形態では、回路基板、電子制御ユニット（いわゆるＥＣＵ）等の電子機器についても、電気部品ＥＰの一形態として考える。
【００２０】
第１バスバ１０と第２バスバ２０は、各々、金属等の導電性材料で成形される。この例示では、銅板等の金属板を母材にして板状にプレス成形されている。
【００２１】
第１バスバ１０は、電源（図示略）側に電気接続される１つの入力系統と、電気部品ＥＰに電気接続される１つ又は複数の出力系統と、を有している。この第１バスバ１０においては、１つの入力系統と１つの出力系統との間での通電経路が１つの配線経路となり、出力系統が１つの場合、１つの配線経路が形成され、出力系統が複数の場合、その出力系統毎の複数の配線経路が形成される。第１バスバ１０は、電源側に電気接続される電源接続体１１と、配線経路に対応させた電気部品ＥＰの電気接続対象たる配線接続体１２と、を有する（図１、図２及び図４）。この例示の第１バスバ１０は、複数の配線接続体１２を有している。
【００２２】
この例示の電源接続体１１は、雄タブ端子形状に形成され、雌端子（図示略）に嵌入接続される。その雌端子は、第１電線Ｗｅ１（図３）の端末に物理的且つ電気的に接続されている。電源接続体１１は、その雌端子を介して第１電線Ｗｅ１に物理的且つ電気的に接続されており、この雌端子と第１電線Ｗｅ１とを介して電源側に電気接続される。
【００２３】
配線接続体１２は、端子形状に形成される。この例示の第１バスバ１０は、配線接続体１２として、第１回路保護部品ＥＰ１に電気接続させる複数の第１配線接続体１２Ａと、第２回路保護部品ＥＰ２に電気接続させる複数の第２配線接続体１２Ｂと、第３回路保護部品ＥＰ３に電気接続させる複数の第３配線接続体１２Ｃと、を有する（図１及び図４）。第１配線接続体１２Ａは、音叉端子形状に形成され、第１回路保護部品ＥＰ１における一方の雄タブ端子形状の端子接続部ＥＰ１ａを嵌入口から嵌入接続させる（図５）。第２配線接続体１２Ｂは、雄タブ端子形状に形成され、第２回路保護部品ＥＰ２における一方の雌端子形状の端子接続部（図示略）に嵌入接続される（図６）。第３配線接続体１２Ｃは、雄タブ端子形状に形成される。それぞれの第３配線接続体１２Ｃは、各々、第３回路保護部品ＥＰ３におけるそれぞれの一方の雌端子形状の端子接続部（図示略）に嵌入接続される（図７）。
【００２４】
尚、第１バスバ１０側において、第１回路保護部品ＥＰ１における他方の雄タブ端子形状の端子接続部ＥＰ１ｂは、第２電線Ｗｅ２の端末に物理的且つ電気的に接続された雌端子Ｔ１に嵌入接続される（図５）。この端子接続部ＥＰ１ｂは、その雌端子Ｔ１を介して第２電線Ｗｅ２に物理的且つ電気的に接続されており、この雌端子Ｔ１と第２電線Ｗｅ２とを介して例えば負荷（アクチュエータ等の電気機器）に電気接続される。また、第１バスバ１０側において、第２回路保護部品ＥＰ２における他方の雌端子形状の端子接続部（図示略）には、第２電線Ｗｅ２の端末に物理的且つ電気的に接続された雄端子Ｔ２が嵌入接続される（図６）。この端子接続部は、その雄端子Ｔ２を介して第２電線Ｗｅ２に物理的且つ電気的に接続されており、この雄端子Ｔ２と第２電線Ｗｅ２とを介して例えば負荷に電気接続される。また、第１バスバ１０側において、第３回路保護部品ＥＰ３におけるそれぞれの他方の雌端子形状の端子接続部（図示略）には、各々、第２電線Ｗｅ２の端末に物理的且つ電気的に接続された雄端子Ｔ２が嵌入接続される（図７）。この端子接続部は、その雄端子Ｔ２を介して第２電線Ｗｅ２に物理的且つ電気的に接続されており、この雄端子Ｔ２と第２電線Ｗｅ２とを介して例えば負荷に電気接続される。
【００２５】
この例示の第１バスバ１０は、同一平面上で略等間隔に並べられ且つ嵌入口を同じ向きに向けた複数の第１配線接続体１２Ａの組み合わせと、それぞれの第１配線接続体１２Ａの嵌入口と同じ向きに先端部（第２回路保護部品ＥＰ２の端子接続部や第３回路保護部品ＥＰ３の端子接続部への嵌入起点側の端部）を向けた同一平面上の複数の第２配線接続体１２Ｂ及び複数の第３配線接続体１２Ｃの組み合わせと、を有している。この第１バスバ１０においては、そのそれぞれの組み合わせが間隔を空けて対向配置されている。
【００２６】
この第１バスバ１０は、一方の組み合わせにおける複数の第１配線接続体１２Ａを同一平面上で連結させる矩形の平板状の第１連結体１３と、他方の組み合わせにおける複数（ここでは３つ）の第２配線接続体１２Ｂ及び複数（ここでは３つ）の第３配線接続体１２Ｃを同一平面上で連結させる矩形の平板状の第２連結体１４と、を有する（図４）。一方の組み合わせにおいては、それぞれの第１配線接続体１２Ａにおける嵌入口とは逆側の端部を第１連結体１３の第１辺部１３ａに連結させる（図４）。他方の組み合わせにおいては、それぞれの第２配線接続体１２Ｂにおける先端部とは逆側の端部とそれぞれの第３配線接続体１２Ｃにおける先端部とは逆側の端部を第２連結体１４の第１辺部１４ａに連結させる（図４）。その第２連結体１４には、同一平面上で電源接続体１１が連結されている。
【００２７】
この第１バスバ１０においては、第１連結体１３の第２辺部１３ｂ（第１辺部１３ａとは逆側の辺部）側と第２連結体１４の第２辺部１４ｂ（第１辺部１４ａとは逆側の辺部）側とを矩形の平板状の第３連結体１５で連結させる（図４）。
【００２８】
第２バスバ２０は、第１バスバ１０と同じように、電源（図示略）側に電気接続される１つの入力系統と、電気部品ＥＰに電気接続される１つ又は複数の出力系統と、を有している。この第２バスバ２０においては、第１バスバ１０と同じように、１つの入力系統と１つの出力系統との間が１つの配線経路となる。第２バスバ２０は、電源側に電気接続される電源接続体２１と、配線経路に対応させた電気部品ＥＰの電気接続対象たる配線接続体２２と、を有する（図１、図２及び図８）。この例示の第２バスバ２０は、複数の配線接続体２２を有している。
【００２９】
この例示の電源接続体２１は、雄タブ端子形状に形成され、雌端子（図示略）に嵌入接続される。その雌端子は、第３電線Ｗｅ３（図３）の端末に物理的且つ電気的に接続されている。電源接続体２１は、その雌端子を介して第３電線Ｗｅ３に物理的且つ電気的に接続されており、この雌端子と第３電線Ｗｅ３とを介して電源側に電気接続される。
【００３０】
配線接続体２２は、端子形状に形成される。この例示の第２バスバ２０は、配線接続体２２として、第１回路保護部品ＥＰ１に電気接続させる複数の第１配線接続体２２Ａと、第２回路保護部品ＥＰ２に電気接続させる複数の第２配線接続体２２Ｂと、を有する（図１、図２及び図８）。第１配線接続体２２Ａは、第１配線接続体１２Ａと同じように、音叉端子形状に形成され、第１回路保護部品ＥＰ１における一方の端子接続部ＥＰ１ａを嵌入口から嵌入接続させる（図５）。第２配線接続体２２Ｂは、第２配線接続体１２Ｂと同じように、雄タブ端子形状に形成され、第２回路保護部品ＥＰ２における一方の端子接続部に嵌入接続される（図６）。
【００３１】
尚、第２バスバ２０側において、第１回路保護部品ＥＰ１における他方の端子接続部ＥＰ１ｂは、第４電線Ｗｅ４の端末に物理的且つ電気的に接続された雌端子Ｔ１に嵌入接続される（図５）。この端子接続部ＥＰ１ｂは、その雌端子Ｔ１を介して第４電線Ｗｅ４に物理的且つ電気的に接続されており、この雌端子Ｔ１と第４電線Ｗｅ４とを介して例えば負荷に電気接続される。また、第２バスバ２０側において、第２回路保護部品ＥＰ２における他方の端子接続部には、第４電線Ｗｅ４の端末に物理的且つ電気的に接続された雄端子Ｔ２が嵌入接続される（図６）。この端子接続部は、その雄端子Ｔ２を介して第４電線Ｗｅ４に物理的且つ電気的に接続されており、この雄端子Ｔ２と第４電線Ｗｅ４とを介して例えば負荷に電気接続される。
【００３２】
この例示の第２バスバ２０においては、同一平面上で略等間隔に並べられ且つ嵌入口を同じ向きに向けた複数の第１配線接続体２２Ａと、同一平面上で略等間隔に並べられ且つそれぞれの第１配線接続体２２Ａの嵌入口と同じ向きに先端部（第２回路保護部品ＥＰ２の端子接続部への嵌入起点側の端部）を向けた複数（ここでは３つ）の第２配線接続体２２Ｂと、が同一平面上に配置されている。この第２バスバ２０は、その複数の第１配線接続体２２Ａと複数の第２配線接続体２２Ｂを同一平面上で連結させる矩形の平板状の連結体２３を有する（図８）。その連結体２３には、同一平面上で電源接続体２１が連結されている。
【００３３】
第１電気配線ブロック３０と第２電気配線ブロック４０は、合成樹脂等の絶縁性材料で成形される。
【００３４】
第１電気配線ブロック３０は、第１バスバ１０が収容され且つ保持されるバスバ収容室３１（図２、図９及び図１０）と、第１回路保護部品ＥＰ１が収容され且つ保持される第１回路保護部品ＥＰ１毎の第１電気部品収容室３２（図１）と、第２回路保護部品ＥＰ２が収容され且つ保持される第２回路保護部品ＥＰ２毎の第２電気部品収容室３３（図１）と、第３回路保護部品ＥＰ３が収容され且つ保持される第３電気部品収容室３４（図１）と、を有する。
【００３５】
バスバ収容室３１には、電源接続体１１を収容させる電源接続室３１ａが形成されている（図２、図９及び図１０）。その電源接続室３１ａにおいては、挿入された雌端子に対して電源接続体１１が嵌入接続されている。
【００３６】
また、このバスバ収容室３１には、第１配線接続体１２Ａを収容させる第１配線接続体１２Ａ毎の第１電気接続室３１ｂと、第２配線接続体１２Ｂを収容させる第２配線接続体１２Ｂ毎の第２電気接続室３１ｃと、それぞれの第３配線接続体１２Ｃを収容させる第３電気接続室３１ｄと、が形成されている（図２、図９及び図１０）。
【００３７】
第１電気接続室３１ｂにおいては、第１電気部品収容室３２に収容された第１回路保護部品ＥＰ１の端子接続部ＥＰ１ａが挿入され、その挿入された端子接続部ＥＰ１ａが第１配線接続体１２Ａに嵌入接続される。一方、第２電気接続室３１ｃは、バスバ収容室３１と第２電気部品収容室３３の一部分であり、このバスバ収容室３１と第２電気部品収容室３３とで共用している部屋として設けられている。よって、この第２電気接続室３１ｃにおいては、第２回路保護部品ＥＰ２が第２電気部品収容室３３に収容されることによって、この第２回路保護部品ＥＰ２の端子接続部に対して第２配線接続体１２Ｂが嵌入接続される。また、第３電気接続室３１ｄは、バスバ収容室３１と第３電気部品収容室３４の一部分であり、このバスバ収容室３１と第３電気部品収容室３４とで共用している部屋として設けられている。よって、この第３電気接続室３１ｄにおいては、第３回路保護部品ＥＰ３が第３電気部品収容室３４に収容されることによって、この第３回路保護部品ＥＰ３のそれぞれの端子接続部に対してそれぞれの第３配線接続体１２Ｃが嵌入接続される。
【００３８】
第２電気配線ブロック４０は、第２バスバ２０が収容され且つ保持されるバスバ収容室４１（図２、図１１及び図１２）と、第１回路保護部品ＥＰ１が収容され且つ保持される第１回路保護部品ＥＰ１毎の第１電気部品収容室４２（図１）と、第２回路保護部品ＥＰ２が収容され且つ保持される第２回路保護部品ＥＰ２毎の第２電気部品収容室４３（図１）と、を有する。
【００３９】
バスバ収容室４１には、電源接続体２１を収容させる電源接続室４１ａが形成されている（図２、図１１及び図１２）。その電源接続室４１ａにおいては、挿入された雌端子に対して電源接続体２１が嵌入接続されている。
【００４０】
また、このバスバ収容室４１には、第１配線接続体２２Ａを収容させる第１配線接続体２２Ａ毎の第１電気接続室４１ｂ（図２、図１１及び図１２）と、第２配線接続体２２Ｂを収容させる第２配線接続体２２Ｂ毎の第２電気接続室４１ｃ（図１１及び図１２）と、が形成されている。
【００４１】
第１電気接続室４１ｂにおいては、第１電気部品収容室４２に収容された第１回路保護部品ＥＰ１の端子接続部ＥＰ１ａが挿入され、その挿入された端子接続部ＥＰ１ａが第１配線接続体２２Ａに嵌入接続される。一方、第２電気接続室４１ｃは、バスバ収容室４１と第２電気部品収容室４３の一部分であり、このバスバ収容室４１と第２電気部品収容室４３とで共用している部屋として設けられている。よって、この第２電気接続室４１ｃにおいては、第２回路保護部品ＥＰ２が第２電気部品収容室４３に収容されることによって、この第２回路保護部品ＥＰ２の端子接続部に対して第２配線接続体２２Ｂが嵌入接続される。
【００４２】
ここで、この電気接続構造体１は、第１バスバ１０と第２バスバ２０を電気接続させる際に用いる回路接続構造５０を備える（図１、図２、図４及び図８から図１２）。
【００４３】
その回路接続構造５０は、第１バスバ１０と第２バスバ２０を電気接続させる接続具６１を備える（図１及び図２）。更に、この回路接続構造５０は、第１バスバ１０が有し、接続具６１を物理的且つ電気的に接続させることが可能な第１被接続体５１と、接続具６１が有し、その第１被接続体５１に対して物理的且つ電気的に接続させることが可能な第１接続体５２と、を備える（図１及び図２）。そして、この回路接続構造５０は、第２バスバ２０が有し、接続具６１を物理的且つ電気的に接続させることが可能な第２被接続体５３と、接続具６１が有し、その第２被接続体５３に対して物理的且つ電気的に接続させることが可能な第２接続体５４と、を備える（図１及び図２）。
【００４４】
また更に、この回路接続構造５０は、第１被接続体５１及び第１接続体５２が収容されると共に物理的且つ電気的に接続される第１連結室５５（図９及び図１０）と、第２被接続体５３及び第２接続体５４が収容されると共に物理的且つ電気的に接続される第２連結室５６（図１１及び図１２）と、を備える。
【００４５】
この回路接続構造５０においては、第１バスバ１０の配線接続体１２（第１配線接続体１２Ａ、第２配線接続体１２Ｂ、第３配線接続体１２Ｃ）の内の１つを第１被接続体５１として利用し、第２バスバ２０の配線接続体２２（第１配線接続体２２Ａ、第２配線接続体２２Ｂ）の内の１つを第２被接続体５３として利用してもよい。この場合の第１バスバ１０は、自らの配線接続体１２と同形状の第１被接続体５１を有することになる。そして、第２バスバ２０は、自らの配線接続体２２と同形状の第２被接続体５３を有することになる。
【００４６】
この場合の回路接続構造５０においては、第１被接続体５１として利用される配線接続体１２の電気接続室（第１電気接続室３１ｂ、第２電気接続室３１ｃ、第３電気接続室３１ｄ）を第１連結室５５として利用し、第２被接続体５３として利用される配線接続体２２の電気接続室（第１電気接続室４１ｂ、第２電気接続室４１ｃ）を第２連結室５６として利用すればよい。この場合の第１電気配線ブロック３０は、自らの電気接続室と同形状の第１連結室５５を有することになる。そして、第２電気配線ブロック４０は、自らの電気接続室と同形状の第２連結室５６を有することになる。
【００４７】
この場合の電気接続構造体１は、回路接続構造５０を設けるか否かに拘わらず、第１バスバ１０、第２バスバ２０、第１電気配線ブロック３０及び第２電気配線ブロック４０の共用化を容易に図ることができる。また、この場合の電気接続構造体１は、既存の第１バスバ１０、第２バスバ２０、第１電気配線ブロック３０及び第２電気配線ブロック４０を利用して、回路接続構造５０を設けることができる。従って、この場合の電気接続構造体１は、原価の低減を図ることができる。
【００４８】
尚、この回路接続構造５０においては、第１被接続体５１を専用のものとして第１バスバ１０に設け、第２被接続体５３を専用のものとして第２バスバ２０に設けてもよい。この場合の回路接続構造５０においては、第１連結室５５を専用のものとして例えば第１電気配線ブロック３０に設け、第２連結室５６を専用のものとして例えば第２電気配線ブロック４０に設ければよい。
【００４９】
この例示の回路接続構造５０においては、隣り合わせに配置された第１電気配線ブロック３０と第２電気配線ブロック４０の第１バスバ１０と第２バスバ２０を接続具６１で連結させる。そして、ここでは、その第１電気配線ブロック３０と第２電気配線ブロック４０との間において、３つの第２電気部品収容室３３と３つの第２電気部品収容室４３とが隣り合わせに配置されている。そこで、この例示の回路接続構造５０においては、３つの第２配線接続体１２Ｂの内の１つを第１被接続体５１として利用し、３つの第２配線接続体２２Ｂの内の１つを第２被接続体５３として利用する（図１、図２、図４及び図８）。よって、この例示の回路接続構造５０においては、その第１被接続体５１として利用される第２配線接続体１２Ｂの第２電気接続室３１ｃを第１連結室５５として利用し（図９及び図１０）、その第２被接続体５３として利用される第２配線接続体２２Ｂの第２電気接続室４１ｃを第２連結室５６として利用する（図１１及び図１２）。
【００５０】
接続具６１は、導電性のバスバとして金属等の導電性材料で成形される。この例示では、銅板等の金属板を母材にして板状にプレス成形されている。この接続具６１は、第１被接続体５１の配置と第２被接続体５３の配置とに応じた形状のものとして成形される。また、この接続具６１においては、第１被接続体５１への物理的且つ電気的な接続が可能な形状のものとして第１接続体５２が形成され、第２被接続体５３への物理的且つ電気的な接続が可能な形状のものとして第２接続体５４が形成される。
【００５１】
この例示の接続具６１は、第１被接続体５１として利用される第２配線接続体１２Ｂの配置と第２被接続体５３として利用される第２配線接続体２２Ｂの配置とに応じて成形される。そして、この接続具６１においては、その第２配線接続体１２Ｂへの物理的且つ電気的な接続が可能な形状のものとして第１接続体５２が形成され、その第２配線接続体２２Ｂへの物理的且つ電気的な接続が可能な形状のものとして第２接続体５４が形成される。この例示では、３つの第３配線接続体１２Ｃから最も離れている第２配線接続体１２Ｂと、５つの第１配線接続体２２Ａに最も近い第２配線接続体２２Ｂと、を接続具６１で連結させる。
【００５２】
ここで、この例示の第１電気配線ブロック３０は、第１バスバ１０のバスバ収容室３１への挿入方向と電気部品ＥＰの電気部品収容室（第１電気部品収容室３２、第２電気部品収容室３３、第３電気部品収容室３４）への挿入方向とが互いに逆向きとなるように形成されている。そして、この例示の第２電気配線ブロック４０は、第２バスバ２０のバスバ収容室４１への挿入方向と電気部品ＥＰの電気部品収容室（第１電気部品収容室３２、第２電気部品収容室３３）への挿入方向とが互いに逆向きとなるように形成されている。よって、この例示の接続具６１においては、第１接続体５２の第２電気接続室３１ｃ（第１連結室５５）への挿入方向と第２接続体５４の第２電気接続室４１ｃ（第２連結室５６）への挿入方向とが、電気部品ＥＰの電気部品収容室への挿入方向と同じ向きになる。そこで、この例示の第１接続体５２は、第２配線接続体１２Ｂを嵌入させる例えば筒状の雌端子形状のものとして形成する。そして、この例示の第２接続体５４は、第２配線接続体２２Ｂを嵌入させる例えば筒状の雌端子形状のものとして形成する。
【００５３】
この例示の接続具６１は、既存の第１バスバ１０及び第１電気配線ブロック３０と既存の第２バスバ２０及び第２電気配線ブロック４０を用いて、その二者間を電気接続させる。このため、この電気接続構造体１においては、第２バスバ２０及び第２電気配線ブロック４０に接続具６１を全体的に収めるための収容室が存在しておらず、接続具６１は、第１電気配線ブロック３０や第２電気配線ブロック４０から突出してしまう。そこで、この電気接続構造体１には、その接続具６１を覆い隠す絶縁性のカバー７１が設けられている（図１から図３）。そのカバー７１は、合成樹脂等の絶縁性材料で成形される。
【００５４】
ところで、この回路接続構造５０においては、その接続具６１を接続具６２に置き換えることも可能である（図１３及び図１４）。その接続具６２は、３つの第３配線接続体１２Ｃから最も離れている第２配線接続体１２Ｂと、５つの第１配線接続体２２Ａから最も離れている第２配線接続体２２Ｂと、を連結させる。この接続具６２を用いる場合には、接続具６１と同じように、その第２配線接続体１２Ｂの第２電気接続室３１ｃを第１連結室５５として利用する（図９及び図１０）。そして、この接続具６２を用いる場合には、その第２配線接続体２２Ｂの第２電気接続室４１ｃを第２連結室５６として利用する（図１５）。よって、この接続具６２は、接続具６１と同形状の第１接続体５２及び第２接続体５４が形成されている。この場合の電気接続構造体１には、その接続具６２を覆い隠す絶縁性のカバー７２が設けられている（図１３、図１４及び図１６）。
【００５５】
以上示した電気接続構造体１は、第１バスバ１０の配線経路と第２バスバ２０の配線経路とで個別に電源側と電気部品ＥＰとを電気接続させることができる（図１７）。この場合には、３つの第２配線接続体１２Ｂと３つの第２配線接続体２２Ｂの全てに対して第２回路保護部品ＥＰ２を各々電気接続させることができる。また、この電気接続構造体１は、第１バスバ１０と第２バスバ２０とを接続具６１で電気接続させることができ、その状態のそれぞれの配線経路で電源側と電気部品ＥＰとを電気接続させることができる（図３）。更に、この電気接続構造体１は、第１バスバ１０と第２バスバ２０とを接続具６２で電気接続させることができ、その状態のそれぞれの配線経路で電源側と電気部品ＥＰとを電気接続させることができる（図１６）。このように、本実施形態の電気接続構造体１は、第１バスバ１０と第２バスバ２０を接続具６１で連結させるだけで、簡便に回路構成を変更することができる。
【００５６】
特に、この例示の電気接続構造体１は、第１バスバ１０の配線接続体１２（第１配線接続体１２Ａ、第２配線接続体１２Ｂ、第３配線接続体１２Ｃ）の内の１つを第１被接続体５１として利用し、第２バスバ２０の配線接続体２２（第１配線接続体２２Ａ、第２配線接続体２２Ｂ）の内の１つを第２被接続体５３として利用することができる。そして、この例示の電気接続構造体１は、第１被接続体５１として利用される配線接続体１２の電気接続室（第１電気接続室３１ｂ、第２電気接続室３１ｃ、第３電気接続室３１ｄ）を第１連結室５５として利用し、第２被接続体５３として利用される配線接続体２２の電気接続室（第１電気接続室４１ｂ、第２電気接続室４１ｃ）を第２連結室５６として利用することができる。よって、この例示の電気接続構造体１は、より簡便な回路構成の変更が可能なものとなっている。従って、この電気接続構造体１は、多様な回路構成のものを安価に構築することができる。
【００５７】
ここで、この電気接続構造体１は、第１電線Ｗｅ１と第２電線Ｗｅ２を第１電気配線ブロック３０から外方に引き出させ、かつ、第３電線Ｗｅ３と第４電線Ｗｅ４を第２電気配線ブロック４０から外方に引き出させることによって、その第１電線Ｗｅ１、第２電線Ｗｅ２、第３電線Ｗｅ３及び第４電線Ｗｅ４と共にワイヤハーネスＷＨを構成する（図３）。また、この電気接続構造体１は、第１電気配線ブロック３０と第２電気配線ブロック４０を絶縁性の筐体Ｂ０に収容し且つ保持させることによって、電気接続箱Ｂを構成する（図３）。そして、この電気接続構造体１は、その筐体Ｂ０から第１電線Ｗｅ１、第２電線Ｗｅ２、第３電線Ｗｅ３及び第４電線Ｗｅ４を外方に引き出させることによって、その筐体Ｂ０も含んだワイヤハーネスＷＨを構成する（図３）。その電気接続箱ＢやワイヤハーネスＷＨは、電気接続構造体１を包含するものであり、この電気接続構造体１によって得られるものと同様の効果を奏することができる。
【００５８】
［変形例］
図１８から図２１の符号２は、本変形例の電気接続構造体を示す。この電気接続構造体２は、導電性の第１バスバ１１０と、導電性の第２バスバ１２０と、第１バスバ１１０が収容される絶縁性の第１電気配線ブロック１３０と、第２バスバ１２０が収容される絶縁性の第２電気配線ブロック１４０と、を備える（図１８及び図１９）。
【００５９】
第１バスバ１１０と第２バスバ１２０は、各々、実施形態の第１バスバ１０及び第２バスバ２０と同じように、１つ又は複数の配線経路を有している。この第１バスバ１１０と第２バスバ１２０は、各々、金属等の導電性材料で成形される。この例示では、銅板等の金属板を母材にして板状にプレス成形されている。
【００６０】
第１バスバ１１０は、実施形態の第１バスバ１０と同じように、電源側に電気接続される電源接続体１１１と、配線経路に対応させた電気部品ＥＰの電気接続対象たる配線接続体１１２と、を有する（図１８、図１９及び図２２）。この例示の第１バスバ１１０は、複数の配線接続体１１２を有している。
【００６１】
この例示の電源接続体１１１は、実施形態の電源接続体１１と同様の雄タブ端子形状に形成されたものであり、第１電線Ｗｅ１の端末に物理的且つ電気的に接続されている雌端子に嵌入接続される。
【００６２】
この例示の第１バスバ１１０は、配線接続体１１２として、第１回路保護部品ＥＰ１に電気接続させる複数の第１配線接続体１１２Ａと、第２回路保護部品ＥＰ２に電気接続させる１つの第２配線接続体１１２Ｂと、を有する（図１８、図１９及び図２２）。第１配線接続体１１２Ａは、実施形態の第１配線接続体１２Ａと同様の音叉端子形状に形成され、第１回路保護部品ＥＰ１における一方の端子接続部ＥＰ１ａを嵌入口から嵌入接続させる。第２配線接続体１１２Ｂは、実施形態の第２配線接続体１２Ｂと同様の雄タブ端子形状に形成され、第２回路保護部品ＥＰ２における一方の端子接続部に嵌入接続される。
【００６３】
この例示の第１バスバ１１０は、同一平面上で略等間隔に並べられ且つ嵌入口を同じ向きに向けた複数の第１配線接続体１１２Ａの組み合わせを２組有しており、それぞれの組み合わせが間隔を空けて対向配置されている。一方の組み合わせにおいては、それぞれの第１配線接続体１１２Ａと同一平面上に、それぞれの第１配線接続体１１２Ａの嵌入口と同じ向きに先端部（第２回路保護部品ＥＰ２の端子接続部への嵌入起点側の端部）を向けて第２配線接続体１１２Ｂが配置されている。
【００６４】
この第１バスバ１１０は、一方の組み合わせにおける複数の第１配線接続体１１２Ａと第２配線接続体１１２Ｂを同一平面上で連結させる矩形の平板状の第１連結体１１３と、他方の組み合わせにおける複数の第１配線接続体１１２Ａを同一平面上で連結させる矩形の平板状の第２連結体１１４と、を有する（図２２）。一方の組み合わせにおいては、それぞれの第１配線接続体１１２Ａにおける嵌入口とは逆側の端部と第２配線接続体１１２Ｂにおける先端部とは逆側の端部を第１連結体１１３の第１辺部１１３ａに連結させる（図２２）。他方の組み合わせにおいては、それぞれの第１配線接続体１１２Ａにおける嵌入口とは逆側の端部を第２連結体１１４の第１辺部１１４ａに連結させる（図２２）。
【００６５】
この第１バスバ１１０においては、第１連結体１１３の第２辺部１１３ｂ（第１辺部１１３ａとは逆側の辺部）側と第２連結体１１４の第２辺部１１４ｂ（第１辺部１１４ａとは逆側の辺部）側とを矩形の平板状の第３連結体１１５で連結させる（図２２）。但し、この例示の第２連結体１１４は、後述する接続具１６０Ａを取り付けるために、第１辺部１１４ａと第２辺部１１４ｂとの間隔を第１連結体１１３における第１辺部１１３ａと第２辺部１１３ｂとの間隔よりも狭めている。そこで、この第１バスバ１１０においては、その狭めた分を補う大きさの矩形の平板状の突出体１１６を第２連結体１１４の第２辺部１１４ｂと第３連結体１１５との間に介在させている（図２２）。その突出体１１６は、第２連結体１１４と同一平面上で第２辺部１１４ｂの一部から突出させている。
【００６６】
第２バスバ１２０は、実施形態の第１バスバ１０や第２バスバ２０と同じように、電源側に電気接続される電源接続体１２１と、配線経路に対応させた電気部品ＥＰの電気接続対象たる配線接続体１２２と、を有する（図１８、図１９、図２３及び図２４）。この例示の第２バスバ１２０は、複数の配線接続体１２２を有している。
【００６７】
この例示の電源接続体１２１は、実施形態の電源接続体１１と同様の雄タブ端子形状に形成されたものであり、第３電線Ｗｅ３の端末に物理的且つ電気的に接続されている雌端子に嵌入接続される。
【００６８】
この例示の第２バスバ１２０は、配線接続体１２２として、第１回路保護部品ＥＰ１に電気接続させる複数の第１配線接続体１２２Ａと、第２回路保護部品ＥＰ２に電気接続させる複数の第２配線接続体１２２Ｂと、第３回路保護部品ＥＰ３に電気接続させる複数の第３配線接続体１２２Ｃと、を有する（図１８、図２３及び図２４）。第１配線接続体１２２Ａは、実施形態の第１配線接続体１２Ａと同様の音叉端子形状に形成され、第１回路保護部品ＥＰ１における一方の端子接続部ＥＰ１ａを嵌入口から嵌入接続させる。第２配線接続体１２２Ｂは、実施形態の第２配線接続体１２Ｂと同様の雄タブ端子形状に形成され、第２回路保護部品ＥＰ２における一方の端子接続部に嵌入接続される。第３配線接続体１２２Ｃは、実施形態の第３配線接続体１２Ｃと同様の雄タブ端子形状に形成され、第３回路保護部品ＥＰ３におけるそれぞれの一方の端子接続部に嵌入接続される。
【００６９】
この例示の第２バスバ１２０は、同一平面上で略等間隔に並べられ且つ嵌入口を同じ向きに向けた複数の第１配線接続体１２２Ａの組み合わせと、それぞれの第１配線接続体１２２Ａの嵌入口と同じ向きに先端部（第２回路保護部品ＥＰ２の端子接続部や第３回路保護部品ＥＰ３の端子接続部への嵌入起点側の端部）を向けた同一平面上の複数の第２配線接続体１２２Ｂ及び複数の第３配線接続体１２２Ｃの組み合わせと、を有している。この第２バスバ１２０においては、そのそれぞれの組み合わせが間隔を空けて対向配置されている。
【００７０】
この第２バスバ１２０は、一方の組み合わせにおける複数の第１配線接続体１２２Ａを同一平面上で連結させる矩形の平板状の第１連結体１２３と、他方の組み合わせにおける複数（ここでは３つ）の第２配線接続体１２２Ｂ及び複数（ここでは３つ）の第３配線接続体１２２Ｃを同一平面上で連結させる矩形の平板状の第２連結体１２４と、を有する（図２３）。一方の組み合わせにおいては、それぞれの第１配線接続体１２２Ａにおける嵌入口とは逆側の端部を第１連結体１２３の第１辺部１２３ａに連結させる（図２３及び図２４）。他方の組み合わせにおいては、それぞれの第２配線接続体１２２Ｂにおける先端部とは逆側の端部とそれぞれの第３配線接続体１２２Ｃにおける先端部とは逆側の端部を第２連結体１２４の第１辺部１２４ａに連結させる（図２３）。その第２連結体１２４には、同一平面上で電源接続体１２１が連結されている。
【００７１】
この第２バスバ１２０においては、第１連結体１２３の第２辺部１２３ｂ（第１辺部１２３ａとは逆側の辺部）側と第２連結体１２４の第２辺部１２４ｂ（第１辺部１２４ａとは逆側の辺部）側とを矩形の平板状の第３連結体１２５で連結させる（図２３及び図２４）。但し、この例示の第１連結体１２３は、後述する接続具１６０Ａを取り付けるために、第１辺部１２３ａと第２辺部１２３ｂとの間隔を第２連結体１２４における第１辺部１２４ａと第２辺部１２４ｂとの間隔よりも狭めている。そこで、この第２バスバ１２０においては、その狭めた分を補う大きさの矩形の平板状の突出体１２６を第１連結体１２３の第２辺部１２３ｂと第３連結体１２５との間に介在させている（図２４）。その突出体１２６は、第１連結体１２３と同一平面上で第２辺部１１３ｂの一部から突出させている。
【００７２】
この第２バスバ１２０は、換言するならば、実施形態の第１バスバ１０において、第１連結体１３を上記の第１連結体１２３及び突出体１２６に置き換えた形状のものに相当する。
【００７３】
第１電気配線ブロック１３０と第２電気配線ブロック１４０は、合成樹脂等の絶縁性材料で成形される。
【００７４】
第１電気配線ブロック１３０は、第１バスバ１１０が収容され且つ保持されるバスバ収容室１３１（図１９、図２５及び図２６）と、第１回路保護部品ＥＰ１が収容され且つ保持される第１回路保護部品ＥＰ１毎の第１電気部品収容室１３２（図１８）と、第２回路保護部品ＥＰ２が収容され且つ保持される第２電気部品収容室１３３（図１８）と、を有する。
【００７５】
バスバ収容室１３１には、電源接続体１１１を収容させる電源接続室１３１ａが形成されている（図１９、図２５及び図２６）。その電源接続室１３１ａにおいては、挿入された雌端子に対して電源接続体１１１が嵌入接続されている。
【００７６】
また、このバスバ収容室１３１には、第１配線接続体１１２Ａを収容させる第１配線接続体１１２Ａ毎の第１電気接続室１３１ｂと、第２配線接続体１１２Ｂを収容させる第２電気接続室１３１ｃと、が形成されている（図２５及び図２６）。
【００７７】
第１電気接続室１３１ｂにおいては、第１電気部品収容室１３２に収容された第１回路保護部品ＥＰ１の端子接続部ＥＰ１ａが挿入され、その挿入された端子接続部ＥＰ１ａが第１配線接続体１１２Ａに嵌入接続される。一方、第２電気接続室１３１ｃは、バスバ収容室１３１と第２電気部品収容室１３３の一部分であり、このバスバ収容室１３１と第２電気部品収容室１３３とで共用している部屋として設けられている。よって、この第２電気接続室１３１ｃにおいては、第２回路保護部品ＥＰ２が第２電気部品収容室１３３に収容されることによって、この第２回路保護部品ＥＰ２の端子接続部に対して第２配線接続体１１２Ｂが嵌入接続される。
【００７８】
ここで例示する第２電気配線ブロック１４０は、実施形態の第１電気配線ブロック３０と同様の形状に成形されている。よって、この第２電気配線ブロック１４０は、第２バスバ１２０が収容され且つ保持されるバスバ収容室１４１（図１９及び図２７）と、第１回路保護部品ＥＰ１が収容され且つ保持される第１回路保護部品ＥＰ１毎の第１電気部品収容室１４２（図１８）と、第２回路保護部品ＥＰ２が収容され且つ保持される第２回路保護部品ＥＰ２毎の第２電気部品収容室１４３（図１８）と、第３回路保護部品ＥＰ３が収容され且つ保持される第３電気部品収容室１４４（図１８）と、を有している。
【００７９】
また、本変形例のバスバ収容室１４１は、実施形態のバスバ収容室３１と同じように、電源接続体１２１を収容させる電源接続室１４１ａと、第１配線接続体１２２Ａを収容させる第１配線接続体１２２Ａ毎の第１電気接続室１４１ｂと、第２配線接続体１２２Ｂを収容させる第２配線接続体１２２Ｂ毎の第２電気接続室１４１ｃと、それぞれの第３配線接続体１２２Ｃを収容させる第３電気接続室１４１ｄと、が形成されている（図１９及び図２７）。
【００８０】
第１電気接続室１４１ｂにおいては、第１電気部品収容室１４２に収容された第１回路保護部品ＥＰ１の端子接続部ＥＰ１ａが挿入され、その挿入された端子接続部ＥＰ１ａが第１配線接続体１２２Ａに嵌入接続される。一方、第２電気接続室１４１ｃは、バスバ収容室１４１と第２電気部品収容室１４３の一部分であり、このバスバ収容室１４１と第２電気部品収容室１４３とで共用している部屋として設けられている。よって、この第２電気接続室１４１ｃにおいては、第２回路保護部品ＥＰ２が第２電気部品収容室１４３に収容されることによって、この第２回路保護部品ＥＰ２の端子接続部に対して第２配線接続体１２２Ｂが嵌入接続される。また、第３電気接続室１４１ｄは、バスバ収容室１４１と第３電気部品収容室１４４の一部分であり、このバスバ収容室１４１と第３電気部品収容室１４４とで共用している部屋として設けられている。よって、この第３電気接続室１４１ｄにおいては、第３回路保護部品ＥＰ３が第３電気部品収容室１４４に収容されることによって、この第３回路保護部品ＥＰ３のそれぞれの端子接続部に対してそれぞれの第３配線接続体１２２Ｃが嵌入接続される。
【００８１】
ここで、本変形例においても、電気接続構造体２は、実施形態の電気接続構造体１と同じように、第１バスバ１１０と第２バスバ１２０を電気接続させる際に用いる回路接続構造１５０を備える（図１８、図１９及び図２２から図２９）。
【００８２】
その回路接続構造１５０は、実施形態の回路接続構造５０と同じように、第１バスバ１１０と第２バスバ１２０を電気接続させる接続具１６０Ａを備える（図１８、図１９、図２８及び図２９）。更に、この回路接続構造１５０は、実施形態の回路接続構造５０と同じように、第１バスバ１１０が有し、接続具１６０Ａを物理的且つ電気的に接続させることが可能な第１被接続体１５１と、接続具１６０Ａが有し、その第１被接続体１５１に対して物理的且つ電気的に接続させることが可能な第１接続体１５２と、を備える（図１８、図１９、図２８及び図２９）。そして、この回路接続構造１５０は、実施形態の回路接続構造５０と同じように、第２バスバ１２０が有し、接続具１６０Ａを物理的且つ電気的に接続させることが可能な第２被接続体１５３と、接続具１６０Ａが有し、その第２被接続体１５３に対して物理的且つ電気的に接続させることが可能な第２接続体１５４と、を備える（図１８、図１９、図２８及び図２９）。また更に、この回路接続構造１５０は、第１被接続体１５１及び第１接続体１５２が収容されると共に物理的且つ電気的に接続される第１連結室１５５（図２５及び図２６）と、第２被接続体１５３及び第２接続体１５４が収容されると共に物理的且つ電気的に接続される第２連結室１５６（図２７）と、を備える。
【００８３】
本変形例の接続具１６０Ａは、電線１６１と、この電線１６１の一方の端末に対して物理的且つ電気的に接続された第１接続体１５２と、その電線１６１の他方の端末に対して物理的且つ電気的に接続された第２接続体１５４と、を備える（図１８、図１９、図２８及び図２９）。この接続具１６０Ａにおいては、第１接続体１５２と第２接続体１５４とが各々端子金具として成形されている。例えば、その第１接続体１５２と第２接続体１５４は、各々、電線１６１の端末に対して加締め圧着させることによって、この電線１６１に対して物理的且つ電気的に接続させる。
【００８４】
この回路接続構造１５０においては、その端子金具としての第１接続体１５２と物理的且つ電気的に接続させる形状に第１被接続体１５１を形成し、かつ、その端子金具としての第２接続体１５４と物理的且つ電気的に接続させる形状に第２被接続体１５３を形成する。この例示では、第１バスバ１１０の第２連結体１１４を第１被接続体１５１として利用し（図２２）、第２バスバ１２０の第１連結体１２３を第２被接続体１５３として利用する（図２２及び図２４）。ここでは、第２連結体１１４において、突出体１１６を設けず、かつ、第３連結体１１５に対して第１配線接続体１１２Ａ側にオフセットさせている部分を第１被接続体１５１として利用する。また、ここでは、第１連結体１２３において、突出体１２６を設けず、かつ、第３連結体１２５に対して第１配線接続体１２２Ａ側にオフセットさせている部分を第２被接続体１５３として利用する。
【００８５】
第１接続体１５２は、第１から第３の押圧部１５２ａ−１５２ｃを有しており（図２８）、その第１から第３の押圧部１５２ａ−１５２ｃで平板状の第１被接続体１５１を挟み込むことによって、その第１被接続体１５１に連結させる。第１から第３の押圧部１５２ａ−１５２ｃは、互いに間隔を空けて一列に並べられている。この第１接続体１５２においては、第１及び第２の押圧部１５２ａ，１５２ｂが第３押圧部１５２ｃを間に挟んで両端に配置されている。第１及び第２の押圧部１５２ａ，１５２ｂは、同一平面上で矩形の平板状の片体として形成され、第１被接続体１５１の一方の平面に面接触状態で対向配置させる。一方、第３押圧部１５２ｃは、第１及び第２の押圧部１５２ａ，１５２ｂに対して第１被接続体１５１の板厚よりも小さくオフセットさせたクランク型の片体状に形成されており、第１被接続体１５１の他方の平面に対向配置させる。この第３押圧部１５２ｃは、可撓性を有する。この第１接続体１５２は、第３押圧部１５２ｃが自らの撓みに伴う反力を第１被接続体１５１の他方の平面に作用させることによって、第１及び第２の押圧部１５２ａ，１５２ｂと第３押圧部１５２ｃとで第１被接続体１５１を挟持する。
【００８６】
第２接続体１５４は、第１接続体１５２と同様の形状のものとして成形されている。このため、この第２接続体１５４は、第１から第３の押圧部１５２ａ−１５２ｃと同等の形状で且つ同等の配置の第１から第３の押圧部１５４ａ−１５４ｃを有している（図２８）。よって、この第２接続体１５４は、第３押圧部１５４ｃが自らの撓みに伴う反力を平板状の第２被接続体１５３の他方の平面に作用させることによって、第１及び第２の押圧部１５４ａ，１５４ｂと第３押圧部１５４ｃとで第２被接続体１５３を挟持する。
【００８７】
この例示の回路接続構造１５０においては、隣り合わせに配置された第１電気配線ブロック１３０と第２電気配線ブロック１４０の第１バスバ１１０と第２バスバ１２０を接続具１６０Ａで連結させる。この例示では、第１電気配線ブロック１３０に第１連結室１５５を設け（図２５及び図２６）、かつ、第２電気配線ブロック１４０に第２連結室１５６を設けている（図２７）。ここでは、その第１連結室１５５と第２連結室１５６を隣り合わせに配置している。例えば、この回路接続構造１５０においては、第１バスバ１１０の第１電気配線ブロック１３０への挿入方向と同じ向きで第１接続体１５２を第１連結室１５５に挿入することによって、その第１連結室１５５に収容済みの第１被接続体１５１を第１接続体１５２で挟持させる。また、この回路接続構造１５０においては、第２バスバ１２０の第２電気配線ブロック１４０への挿入方向と同じ向きで第２接続体１５４を第２連結室１５６に挿入することによって、その第２連結室１５６に収容済みの第２被接続体１５３を第２接続体１５４で挟持させる。
【００８８】
以上示した電気接続構造体２は、第１バスバ１１０の配線経路と第２バスバ１２０の配線経路とで個別に電源側と電気部品ＥＰとを電気接続させることができる（図２０）。そして、この電気接続構造体２は、その状態の第１バスバ１１０と第２バスバ１２０とを接続具１６０Ａで電気接続させることができる（図２０）。このように、本変形例の電気接続構造体２は、第１バスバ１１０と第２バスバ１２０を接続具１６０Ａで連結させるだけで、簡便に回路構成を変更することができる。
【００８９】
また、この電気接続構造体２は、図示しないが、実施形態と同じように、第１電線Ｗｅ１、第２電線Ｗｅ２、第３電線Ｗｅ３及び第４電線Ｗｅ４と共にワイヤハーネスＷＨを構成する。この電気接続構造体２は、第１電気配線ブロック１３０と第２電気配線ブロック１４０を筐体Ｂ０に収容し且つ保持させることによって、電気接続箱Ｂを構成する。そして、この電気接続構造体２は、その筐体Ｂ０から第１電線Ｗｅ１、第２電線Ｗｅ２、第３電線Ｗｅ３及び第４電線Ｗｅ４を外方に引き出させることによって、その筐体Ｂ０も含んだワイヤハーネスＷＨを構成する。本変形例においても、その電気接続箱ＢやワイヤハーネスＷＨは、電気接続構造体２を包含するものであり、この電気接続構造体２によって得られるものと同様の効果を奏することができる。
【００９０】
ところで、本変形例の電気接続構造体２においては、接続具１６０Ａを下記の接続具１６０Ｂに置き換えてもよい（図３０）。
【００９１】
その接続具１６０Ｂは、先に示した接続具１６０Ａにおいて、第１接続体１５２と第２接続体１５４との間に放熱部１６２を備えたものである（図３０）。この例示では、電線１６１の間に放熱部１６２を介在させ、その電線１６１の熱を放熱部１６２から外部に放たせる。その放熱部１６２には、例えば、複数枚の放熱フィンを有するヒートシンク等を用いればよい。
【００９２】
例えば、本変形例の電気接続構造体２においては、第１バスバ１１０と第２バスバ１２０とが各々電源側に繋がれている。接続具１６０Ｂは、放熱部１６２が熱を外部に放つので、第１バスバ１１０と第２バスバ１２０とで発生した熱を第１接続体１５２と第２接続体１５４とを介して電線１６１に伝わらせ、その電線１６１の熱を放熱部１６２が受け取ることができる。従って、本変形例の電気接続構造体２、電気接続箱Ｂ及びワイヤハーネスＷＨは、接続具１６０Ｂを用いることによって、第１バスバ１１０と第２バスバ１２０の高温化を抑えることができる。
【００９３】
尚、そのような放熱部は、実施形態の接続具６１，６２に設けてもよい。
【符号の説明】
【００９４】
１，２  電気接続構造体
１０，１１０  第１バスバ
１２，１１２  配線接続体
２０，１２０  第２バスバ
２２，１２２  配線接続体
３０，１３０  第１電気配線ブロック
３１ｂ  第１電気接続室
３１ｃ  第２電気接続室
３１ｄ  第３電気接続室
４０，１４０  第２電気配線ブロック
４１ｂ  第１電気接続室
４１ｃ  第２電気接続室
５０，１５０  回路接続構造
５１，１５１  第１被接続体
５２，１５２  第１接続体
５３，１５３  第２被接続体
５４，１５４  第２接続体
５５，１５５  第１連結室
５６，１５６  第２連結室
６１，６２，１６０Ａ，１６０Ｂ  接続具
１６１  電線
１６２  放熱部
Ｂ  電気接続箱
Ｂ０  筐体
ＥＰ  電気部品
Ｗｅ１  第１電線
Ｗｅ２  第２電線
Ｗｅ３  第３電線
Ｗｅ４  第４電線
ＷＨ  ワイヤハーネス
【図１】
2020124074.tif 000003
【図２】
2020124074.tif 000004
【図３】
2020124074.tif 000005
【図４】
2020124074.tif 000006
【図５】
2020124074.tif 000007
【図６】
2020124074.tif 000008
【図７】
2020124074.tif 000009
【図８】
2020124074.tif 000010
【図９】
2020124074.tif 000011
【図１０】
2020124074.tif 000012
【図１１】
2020124074.tif 000013
【図１２】
2020124074.tif 000014
【図１３】
2020124074.tif 000015
【図１４】
2020124074.tif 000016
【図１５】
2020124074.tif 000017
【図１６】
2020124074.tif 000018
【図１７】
2020124074.tif 000019
【図１８】
2020124074.tif 000020
【図１９】
2020124074.tif 000021
【図２０】
2020124074.tif 000022
【図２１】
2020124074.tif 000023
【図２２】
2020124074.tif 000024
【図２３】
2020124074.tif 000025
【図２４】
2020124074.tif 000026
【図２５】
2020124074.tif 000027
【図２６】
2020124074.tif 000028
【図２７】
2020124074.tif 000029
【図２８】
2020124074.tif 000030
【図２９】
2020124074.tif 000031
【図３０】
2020124074.tif 000032